【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
被写体を含む撮影範囲を撮影する撮影手段と、
前記撮影手段によって撮影される撮影範囲内において、動きのある任意の被写体を特定する被写体特定手段と、
前記被写体特定手段によって特定された被写体を追尾する被写体追尾手段と、
前記撮影手段によって撮影される撮影範囲をズームインまたはズームアウトするズーミング手段と、
前記被写体追尾手段によって追尾される被写体の移動速度を検出する速度検出手段と、
前記速度検出手段によって検出される被写体の移動速度が、所定の速度以上であるかどうかを判定する速度判定手段と、
前記速度判定手段によって、被写体の移動速度が所定の速度以上であると判定されたことに応じて、前記被写体を含む撮影範囲をズームアウトするよう前記ズーミング手段を制御する制御手段と
を備えることを特徴とする撮影装置。
【請求項２】
前記制御手段は、前記速度検出手段によって検出される被写体の移動速度に対応したズーム速度で前記被写体を含む撮影範囲をズームアウトするよう前記ズーミング手段を制御することを特徴とする請求項１記載の撮影装置。
【請求項３】
前記制御手段は、前記速度検出手段によって検出される被写体の移動速度に対応したズーム倍率値で前記被写体を含む撮影範囲をズームアウトするよう前記ズーミング手段を制御することを特徴とする請求項１記載の撮影装置。
【請求項４】
被写体を含む撮影範囲を撮影する撮影工程と、
前記撮影工程によって撮影される撮影範囲内において、動きのある任意の被写体を特定する被写体特定工程と、
前記被写体特定工程によって特定された被写体を追尾する被写体追尾工程と、
前記撮影工程によって撮影される撮影範囲をズームインまたはズームアウトするズーミング工程と、
前記被写体追尾工程によって追尾される被写体の移動速度を検出する速度検出工程と、
前記速度検出工程によって検出される被写体の移動速度が、所定の速度以上であるかどうかを判定する速度判定工程と、
前記速度判定工程によって、被写体の移動速度が所定の速度以上であると判定されたことに応じて、前記被写体を含む撮影範囲をズームアウトするよう前記ズーミング工程を制御する制御工程と
を備えることを特徴とする被写体追尾ズーミング方法。
【請求項５】
被写体を撮影する撮影装置が備えるコンピュータに適用される被写体追尾ズーミングプログラムであって、
被写体を含む撮影範囲を撮影する撮影ステップと、
前記撮影ステップによって撮影される撮影範囲内において、動きのある任意の被写体を特定する被写体特定ステップと、
前記被写体特定ステップによって特定された被写体を追尾する被写体追尾ステップと、
前記撮影ステップによって撮影される撮影範囲をズームインまたはズームアウトするズーミングステップと、
前記被写体追尾ステップによって追尾される被写体の移動速度を検出する速度検出ステップと、
前記速度検出ステップによって検出される被写体の移動速度が、所定の速度以上であるかどうかを判定する速度判定ステップと、
前記速度判定ステップによって、被写体の移動速度が所定の速度以上であると判定されたことに応じて、前記被写体を含む撮影範囲をズームアウトするよう前記ズーミングステップを制御する制御ステップと
を実行させることを特徴とする被写体追尾ズーミングプログラム。
【手続補正２】
【補正対象書類名】明細書
【補正対象項目名】０００８
【補正方法】変更
【補正の内容】
【０００８】
本発明の撮影装置は、被写体を含む撮影範囲を撮影する撮影手段と、前記撮影手段によって撮影される撮影範囲内において、動きのある任意の被写体を特定する被写体特定手段と、前記被写体特定手段によって特定された被写体を追尾する被写体追尾手段と、前記撮影手段によって撮影される撮影範囲をズームインまたはズームアウトするズーミング手段と、前記被写体追尾手段によって追尾される被写体の移動速度を検出する速度検出手段と、前記速度検出手段によって検出される被写体の移動速度が、所定の速度以上であるかどうかを判定する速度判定手段と、前記速度判定手段によって、被写体の移動速度が所定の速度以上であると判定されたことに応じて、前記被写体を含む撮影範囲をズームアウトするよう前記ズーミング手段を制御する制御手段とを備える。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明の撮影装置は、前記制御手段は、前記速度検出手段によって検出される被写体の移動速度に応じたズーム速度で前記被写体を含む撮影範囲をズームアウトするよう前記ズーミング手段を制御する。
【手続補正８】
【補正対象書類名】明細書
【補正対象項目名】００１４
【補正方法】変更
【補正の内容】
【００１４】
また、本発明の撮影装置は、前記制御手段は、前記速度検出手段によって検出される被写体の移動速度に応じたズーム速度、または前記速度検出手段によって検出される被写体の移動速度に応じたズーム倍率値で前記被写体を含む撮影範囲をズームアウトするよう前記ズーミング手段を制御する。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
本発明の被写体追尾ズーミング方法は、被写体を含む撮影範囲を撮影する撮影工程と、前記撮影工程によって撮影される撮影範囲内において、動きのある任意の被写体を特定する被写体特定工程と、前記被写体特定工程によって特定された被写体を追尾する被写体追尾工程と、前記撮影工程によって撮影される撮影範囲をズームインまたはズームアウトするズーミング工程と、前記被写体追尾工程によって追尾される被写体の移動速度を検出する速度検出工程と、前記速度検出工程によって検出される被写体の移動速度が、所定の速度以上であるかどうかを判定する速度判定工程と、前記速度判定工程によって、被写体の移動速度が所定の速度以上であると判定されたことに応じて、前記被写体を含む撮影範囲をズームアウトするよう前記ズーミング工程を制御する制御工程とを備える。
【手続補正１５】
【補正対象書類名】明細書
【補正対象項目名】００２１
【補正方法】変更
【補正の内容】
【００２１】
本発明の被写体追尾ズーミングプログラムは、被写体を撮影する撮影装置が備えるコンピュータに適用される被写体追尾ズーミングプログラムであって、被写体を含む撮影範囲を撮影する撮影ステップと、前記撮影ステップによって撮影される撮影範囲内において、動きのある任意の被写体を特定する被写体特定ステップと、前記被写体特定ステップによって特定された被写体を追尾する被写体追尾ステップと、前記撮影ステップによって撮影される撮影範囲をズームインまたはズームアウトするズーミングステップと、前記被写体追尾ステップによって追尾される被写体の移動速度を検出する速度検出ステップと、前記速度検出ステップによって検出される被写体の移動速度が、所定の速度以上であるかどうかを判定する速度判定ステップと、前記速度判定ステップによって、被写体の移動速度が所定の速度以上であると判定されたことに応じて、前記被写体を含む撮影範囲をズームアウトするよう前記ズーミングステップを制御する制御ステップとを実行させる。